(57)【要約】【課題】簡単な構成でスムーズに表示モニタを回動できるようにすることを目的とする。【解決手段】一端部に軸支部を有する収納部を備えた本体部のリアケースと、収納部に収納可能で表示モニタを保持する支持機構部とを備えている。収納部１２は、プレート１３の軸支部１３Ａが配置される部分にカム部を有する。支持機構部１０のプレート１４は、プレート１３の軸支部１３Ａに回動可能に軸支される回動部１４Ａ側に、カム部とともにカム機構部を構成するカム面を備えた当接部１４Ｂを有する。支持機構部１０は、プレート１４を回動させることによりカム部が当接部１４Ｂのカム面を押し、プレート１３の軸支部１３Ａ側及びプレート１４の回動部１４Ａを収納部１２から押し出す方向に移動させるように構成している。【選択図】図５
2014197833.tif 000002
【特許請求の範囲】
【請求項１】
一端部に軸支部を有する収納部を備えた本体部のケース部材と、このケース部材の収納部に収納可能で表示モニタを保持する支持機構部とを備え、
前記支持機構部は、一端部に前記収納部の軸支部に回動可能に軸支される回動部を有し、他端部に軸支部を有する第１の支持部材と、前記第１の支持部材の軸支部に回動可能に軸支される回動部を有する第２の支持部材とを有し、
前記ケース部材の収納部は、前記第１の支持部材の軸支部が配置される部分にカム部を有し、
前記支持機構部の第２の支持部材は、第１の支持部材の軸支部に回動可能に軸支される回動部側に、前記ケース部材のカム部とともにカム機構部を構成するカム面を備えた当接部を有し、
前記支持機構部は、第２の支持部材を回動させることにより前記カム部が当接部のカム面を押し、前記第１の支持部材の軸支部側及び前記第２の支持部材の回動部を収納部から押し出す方向に移動させるように構成した電子機器。
【請求項２】
前記ケース部材の収納部は、第１の支持部材の軸支部が収容される凹部を有し、前記凹部にカム部を形成した請求項１に記載の電子機器。
【請求項３】
前記当接部は、第２の支持部材の回動部から偏芯した位置に形成した請求項１に記載の電子機器。
【請求項４】
前記支持機構部は、第２の支持部材に表示モニタを配置し、表示モニタと本体部とを電気的に接続する配線部材は、本体部のケース部材から外部に引き出され、支持機構部の第１の支持部材を通して第２の支持部材に導かれ、前記表示モニタに電気的に接続された請求項１に記載の電子機器。
【請求項５】
前記第２の支持部材は、表示モニタと本体部とを電気的に接続する配線部材が導入される配線導入部を有し、前記配線部材は、前記配線導入部の部分に、たるみ部を有する請求項４に記載の電子機器。
【請求項６】
前記ケース部材の収納部は第１のカム部及び第２のカム部を有し、当接部は、第１のカム部に当接する第１のカム面、及び第２のカム部に当接する第２のカム面を有し、前記支持機構部は、第２の支持部材を回動させることにより第１のカム部が当接部の第１のカム面を押し、続いて第２のカム部が当接部の第２のカム面を押すように構成した請求項１に記載の電子機器。
【発明の詳細な説明】
【技術分野】
【０００１】
本技術は、回動可能な表示ユニットを備えたデジタルカメラ等の電子機器に関する。
【背景技術】
【０００２】
デジタルカメラ等の電子機器において、特許文献１には、本体に対して回動可能な表示モニタを備えたものが開示されている。
【先行技術文献】
【特許文献】
【０００３】
【特許文献１】特開２００１−３３３２９８号公報
【発明の概要】
【発明が解決しようとする課題】
【０００４】
本技術は、このような電子機器において、簡単な構成でスムーズに表示モニタを回動できるようにすることを目的とする。
【課題を解決するための手段】
【０００５】
本技術による電子機器は、一端部に軸支部を有する収納部を備えた本体部のケース部材と、このケース部材の収納部に収納可能な支持機構部とを備え、前記支持機構部は、一端部に前記収納部の軸支部に回動可能に軸支される回動部を有し、他端部に軸支部を有する第１の支持部材と、前記第１の支持部材の軸支部に回動可能に軸支される回動部を有する第２の支持部材とを有し、前記ケース部材の収納部は、前記第１の支持部材の軸支部が配置される部分にカム部を有し、前記支持機構部の第２の支持部材は、第１の支持部材の軸支部に回動可能に軸支される回動部側に、前記ケース部材のカム部とともにカム機構部を構成するカム面を備えた当接部を有し、前記支持機構部は、第２の支持部材を回動させることにより前記カム部が当接部のカム面を押し、前記第１の支持部材の軸支部側及び前記第２の支持部材の回動部を収納部から押し出す方向に移動させるように構成した。
【発明の効果】
【０００６】
本技術によれば、簡単な構成でスムーズに表示モニタを回動可能な電子機器を提供することができる。
【図面の簡単な説明】
【０００７】
【図１】本技術の一実施の形態によるデジタルカメラについて、前面側から見た外観を示す斜視図である。
【図２】図１に示すデジタルカメラについて、背面側から見た外観を示す斜視図である。
【図３】本体部の表示ユニットにおいて、表示モニタを回動させた状態を示す斜視図である。
【図４】本体部の表示装置において、表示モニタを図２に示す状態から１８０度回動させた状態を示す平面図である。
【図５】本体部の表示装置において、支持機構部の構成を示す分解斜視図である。
【図６】支持機構部を構成する各部品の構成を示す斜視図である。
【図７】支持機構部を構成する各部品の構成を示す斜視図である。
【図８】支持機構部を構成する各部品の構成を示す斜視図である。
【図９】本体部の表示装置において、表示モニタがリアケースの収納部に収納されている状態を側面方向から見た断面図である。
【図１０】支持機構部の動作を示す断面図である。
【図１１】支持機構部の動作を示す断面図である。
【図１２】支持機構部の動作を示す断面図である。
【図１３】支持機構部の動作を示す断面図である。
【図１４】支持機構部の動作を示す断面図である。
【図１５】支持機構部の動作を示す断面図である。
【発明を実施するための形態】
【０００８】
以下、本技術による電子機器について、デジタルカメラを例にとって、図面を参照しながら、実施の形態を説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、出願人は、当業者が本技術を十分に理解するために添付図面及び以下の説明を提供するのであって、これらによって特許請求の範囲に記載の主題を限定することを意図するものではない。
【００１０】
＜１．構成＞
図１は、本技術の一実施の形態によるデジタルカメラについて、前面側から見た外観を示す斜視図である。図２は、図１に示すデジタルカメラについて、背面側から見た外観を示す斜視図である。
【００１１】
図１、図２に示すように、カメラの本体部１と、この本体部１に着脱可能な交換レンズ２とを有している。本体部１は、ケース３内に、被写体像を撮像するＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサなどのイメージセンサを有する撮像ユニットと、撮像ユニットから得られた画像データを処理する画像処理回路及びカメラ全体を制御する制御回路を搭載したコントロール部を収納することにより構成されている。
【００１２】
本体部１の上部には、レリーズ釦４と、撮影条件を設定するモードダイアル５と、ホップアップ機構を備えたフラッシュ６などが配置されている。また、本体部１の背面側には、撮影条件やカメラ全体の動作を操作するための操作釦７と、撮像ユニットから得られた被写体像のスルー画像や撮影した再生画像などを表示するための表示部としての表示ユニット８が配置されている。表示ユニット８は、被写体像のスルー画像や撮影した再生画像などを表示する液晶パネルなどからなる表示モニタ９と、この表示モニタ９を回動可能な状態で保持する支持機構部１０とを有している。
【００１３】
図３は、本体部の表示ユニットにおいて、表示モニタを回動させた状態を示す斜視図である。図４は、本体部の表示装置において、表示モニタを図２に示す状態から１８０度回動させた状態を示す平面図である。図５は、本体部の表示装置において、支持機構部の構成を示す分解斜視図である。図６、図７、図８は、支持機構部を構成する各部品の構成を示す斜視図である。
【００１４】
図３、図４、図５に示すように、表示ユニット８は、ケース部材である背面側の樹脂製のリアケース１１と、このリアケース１１に設けられた凹形状の収納部１２に収納可能な支持機構部１０と、支持機構部１０により回動可能に保持される表示モニタ９とを有している。
【００１５】
支持機構部１０は、収納部１２において、本体部１の下部側の一端部に設けた２つの軸支部１２Ａに回動可能に軸支される金属板からなる第１の支持部材であるプレート１３と、このプレート１３の他端部に設けた軸支部１３Ａに回動可能に軸支される金属板からなる第２の支持部材であるプレート１４とを有している。表示モニタ９は、支持機構部１０のプレート１４に配置されている。また、プレート１３とプレート１４は、表示モニタ９をリアケース１１の収納部１２に収納したとき、ほぼ互いに重なり合うように構成されている。なお、プレート１３、１４の形状は、板状でなくても、機械的強度が確保できれば、中央部を削除した枠形状であってもよい。
【００１６】
また、表示モニタ９と本体部１のコントローラ部とを電気的に接続するフレキシブル配線板からなる配線部材１５は、本体部１のリアケース１１の下端部に設けたスリットを通して本体部１の外部に引き出されている。そして、配線部材１５は、図４に示すように、プレート１３の内部を通してプレート１４に導かれ、プレート１４の端部に設けた配線導入部１６を通して、プレート１４内に導入されている。プレート１４内に引き回された配線部材１５は、表示モニタ９の背面側において、表示モニタ９に電気的に接続されている。
【００１７】
ここで、配線部材１５は、プレート１４の配線導入部１６の部分において、ほぼＳ字形状に湾曲させたたるみ部１５Ａを有している。これにより、配線導入部１６に設けた配線部材１５のたるみ部１５Ａが、支持機構部１０が回動する動作に応じて伸縮するため、支持機構部１０が回動することで配線部材１５に加えられる引張り力により、配線部材１５が断線するのを防ぐことが可能となる。
【００１８】
図５、図６に示すように、ケース部材であるリアケース１１は、収納部１２の軸支部１２Ａに対向する上部側の端部に、プレート１３の軸支部１３Ａが収容される２つの凹部１２Ｂを有している。また、プレート１３の軸支部１３Ａが配置される凹部１２Ｂには、凹部１２Ｂ内に突出するように設けた凸形状の第１のカム部１２Ｃと、凹部１２Ｂの端部に設けた第２のカム部１２Ｄとが設けられている。第２のカム部１２Ｄは、収納部１２を形成する壁部において、凹部１２Ｂの端部が他の部分より高さが高くなるように形成することにより設けられている。これにより、表示モニタ９の本体部１に結合される側は、支持機構部１０とともにリアケース１１の収納部１２内から出っ張ることなく収納される。また、図５、図６に示すように、リアケース１１の収納部１２には、配線部材１５が引き出されるスリット１２Ｅが設けられている。
【００１９】
支持機構部１０を構成するプレート１３は、図５及び図７に示すように、リアケース１１の収納部１２の軸支部１２Ａに回動可能に軸支される回動部１３Ｂを有する。回動部１３Ｂには、つめ部１３Ｃが設けられており、このつめ部１３Ｃにより回動部１３Ｂは、一定の角度範囲で回動可能に規制されている。また、プレート１３は、リアケース１１の軸支部１２Ａに回動部１３Ｂを軸支した状態で、軸支部１３Ａが凹部１２Ｂ内に嵌り合う長さを有している。
【００２０】
支持機構部１０を構成するプレート１４は、図５及び図８に示すように、プレート１３の軸支部１３Ａに一定の角度範囲で回動可能に軸支される回動部１４Ａを有する。プレート１４は、プレート１３の軸支部１３Ａに回動部１４Ａを軸支した状態で、先端部がリアケース１１の収納部１２内に嵌り合う長さを有している。また、プレート１４の両側の回動部１４Ａの内側には、回動部１４Ａから先端部側に偏芯した位置に、樹脂からなる当接部１４Ｂが設けられている。当接部１４Ｂは、収納部１２の凹部１２Ｂに設けた第１のカム部１２Ｃ及び第２のカム部１２Ｄとともにカム機構部を構成する第１のカム面１４Ｃ及び第２のカム面１４Ｄを備えている。当接部１４Ｂの第１のカム面１４Ｃは、リアケース１１の第１のカム部１２Ｃに対向する内側の面に設けられ、第２のカム面１４Ｄは、第１のカム面１４Ｃと反対側の外側の面に設けられている。すなわち、当接部１４Ｂの第１のカム面１４Ｃは、第１のカム部１２Ｃに当接し、当接部１４Ｂの第２のカム面１４Ｄは、第２のカム部１２Ｄに当接するように構成されている。
【００２１】
これにより、支持機構部１０は、プレート１４を所定の角度以上回動させることにより、まず、当接部１４Ｂの第１のカム面１４Ｃが第１のカム部１２Ｃに当接し、続いて、さらにプレート１４を回動させることにより、当接部１４Ｂの第２のカム面１４Ｄが第２のカム部１２Ｄに当接する。そして、第１のカム部１２Ｃ及び第２のカム部１２Ｄが当接部１４Ｂの第１のカム面１４Ｃ及び第２のカム面１４Ｄを押すことにより、プレート１３の軸支部１３Ａ側及びプレート１４の回動部１４Ａは、収納部１２の凹部１２Ｂから押し出す方向に移動する。
【００２２】
＜２．動作＞
次に、本技術の一実施の形態によるデジタルカメラにおいて、表示ユニットの動作について説明する。
【００２３】
図９は、本体部の表示装置において、表示モニタがリアケースの収納部に収納されている状態を側面方向から見た断面図である。図１０から図１５は、図９に示す状態から１８０度回動させた場合の支持機構部の動作を示す断面図である。
【００２４】
まず、表示ユニット８は、表示モニタ９がリアケース１１の収納部１２に収納されている閉じた状態（図９に示す状態）の動作と、プレート１４が開いた位置にある開いた状態の動作とを行うことが可能である。特に、表示ユニット８が１８０度開いた状態は、表示モニタ９の表示面の向きがデジタルカメラの前方を向いた状態である。表示モニタ９がリアケース１１の収納部１２に収納されている閉じた状態は、表示モニタ９の表示面の向きがデジタルカメラの後方を向いた状態である。
【００２５】
図１０に示すように、表示ユニット８が閉じた状態にあるとき、プレート１４の当接部１４Ｂはリアケース１１の凹部１２Ｂに収納される。また、当接部１４Ｂは、リアケース１１の第１のカム部１２Ｃに当接していなく、当接部１４Ｂの第１のカム面１４Ｃは、リアケース１１の第１のカム部１２Ｃと対向している。この状態で、ユーザが指等で表示モニタ９の下端を後方に引き出すと、それに伴ってプレート１４が後方に回動する。このとき、プレート１３は、まだ閉じた状態である。
【００２６】
図１１に示すように、プレート１３がまだ閉じた状態でプレート１４を回転させると、当接部１４Ｂも回動部１４Ａを中心に回動し、当接部１４Ｂの第１のカム面１４Ｃが第１のカム部１２Ｃに当接する。
【００２７】
図１２に示すように、さらにプレート１４を回動させると、当接部１４Ｂの第１のカム面１４Ｃが第１のカム部１２Ｃによって押され、プレート１４は、リアケース１１の収納部１２から引き出される方向に移動する。図１２は、プレート１４をおよそ９０度回動させた状態を示しており、当接部１４Ｂは、第１のカム面１４Ｃにおいて第１のカム部１２Ｃと当接しているため、当接部１４Ｂ自体は第１のカム部１２Ｃとの当接を維持したまま回動する。その結果、回動部１４Ａを軸支しているプレート１３の軸支部１３Ａも、リアケース１１の収納部１２から引き出される方向に移動し、プレート１３が軸支部１２Ａを中心に回動する。
【００２８】
次に、図１３に示すように、さらにプレート１４を回動させると、当接部１４Ｂの第２のカム面１４Ｄがリアケース１１の第２のカム部１２Ｄに当接する。図１３は、プレート１４をおよそ１２０度回動させた状態を示している。
【００２９】
図１４に示すように、さらにプレート１４を回動させると、当接部１４Ｂの第２のカム面１４Ｄが第２のカム部１２Ｄによって押され、プレート１４は、リアケース１１の収納部１２からさらに引き出される方向に移動する。図１４は、プレート１４をおよそ１５０度回動させた状態を示しており、当接部１４Ｂは、第２のカム面１４Ｄにおいて第２のカム部１２Ｄに当接しているため、当接部１４Ｂ自体は第２のカム部１２Ｄとの当接を維持したまま回動する。その結果、回動部１４Ａを軸支しているプレート１３の軸支部１３Ａも、リアケース１１の収納部１２から引き出される方向に移動し、プレート１３がさらに軸支部１２Ａを中心に回動する。
【００３０】
図１５に示すように、さらにプレート１４を回動させ、１８０度回動させると、当接部１４Ｂは第２のカム部１２Ｄに当接したまま回動する。その結果、回動部１４Ａを軸支しているプレート１３の軸支部１３Ａも、リアケース１１の収納部１２からさらに引き出される方向に移動し、プレート１３がさらに軸支部１２Ａを中心に回動する。これにより、表示ユニット８の表示モニタ９の表示面の向きは、デジタルカメラの前方を向いた状態となる。
【００３１】
＜３．まとめ＞
以上のように、本技術の電子機器は、一端部に軸支部１２Ａを有する収納部１２を備えた本体部１のリアケース１１と、収納部１２に収納可能で表示モニタ９を保持する支持機構部１０とを備えている。支持機構部１０は、一端部に収納部１２の軸支部１２Ａに回動可能に軸支される回動部１３Ｂを有し、他端部に軸支部１３Ａを有するプレート１３と、プレート１３の軸支部１３Ａに回動可能に軸支される回動部１４Ａを有するプレート１４とを有する。また、収納部１２は、プレート１３の軸支部１３Ａが配置される部分に第１のカム部１２Ｃ、第２のカム部１２Ｄを有する。さらに、支持機構部１０のプレート１４は、プレート１３の軸支部１３Ａに回動可能に軸支される回動部１４Ａ側に、第１のカム部１２Ｃ、第２のカム部１２Ｄとともにカム機構部を構成する第１のカム面１４Ｃ及び第２のカム面１４Ｄを備えた当接部１４Ｂを有する。そして、支持機構部１０は、プレート１４を回動させることにより第１のカム部１２Ｃ、第２のカム部１２Ｄが当接部１４Ｂの第１のカム面１４Ｃ及び第２のカム面１４Ｄを押し、プレート１３の軸支部１３Ａ側及びプレート１４の回動部１４Ａを収納部１２から押し出す方向に移動させるように構成している。
【００３２】
この構成によって、支持機構部１０は、プレート１４を所定の角度以上回動させることにより、プレート１３の軸支部１３Ａ側及びプレート１４の回動部１４Ａが収納部１２の凹部１２Ｂから押し出される方向に移動するため、本体部１の他の部材に干渉することなく、プレート１４をスムーズに回転することができる。その結果、スムーズに表示モニタ９を１８０度回動させることが可能な電子機器を提供することができる。
【００３３】
＜４．他の実施の形態＞
上記実施形の態においては、リアケース１１の第１のカム部１２Ｃ及び第２のカム部１２Ｄがプレート１４の当接部１４Ｂの第１のカム面１４Ｃ及び第２のカム面１４Ｄに当接する構成としたが、これに限定されなく、いずれか一方のカム部とカム面によりカム機構部を形成する構成としてもよい。
【００３４】
また、本技術の実施の形態の例示として、デジタルカメラの表示ユニットを例に説明したが、カーナビゲーションシステムなどのように表示モニタを有する電子機器であれば、適用可能である。
【００３５】
以上のように、本技術における技術の例示として、実施の形態を説明した。そのために、添付図面及び詳細な説明を提供した。
【００３６】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３７】
また、上述の実施の形態は、本技術における技術を例示するためのものであるから、特許請求の範囲またはその均等の範囲において種々の変更、置き換え、付加、省略などを行うことができる。
【産業上の利用可能性】
【００３８】
本技術によれば、回動可能な表示ユニットを備えた電子機器を簡単な構成で実現する上で有用な発明である。
【符号の説明】
【００３９】
１    本体部
２    交換レンズ
３    ケース
４    レリーズ釦
５    モードダイアル
６    フラッシュ
７    操作釦
８    表示ユニット
９    表示モニタ
１０    支持機構部
１１    リアケース
１２    収納部
１２Ａ    軸支部
１２Ｂ    凹部
１２Ｃ    第１のカム部
１２Ｄ    第２のカム部
１２Ｅ    スリット
１３，１４    プレート
１３Ａ    軸支部
１３Ｂ    回動部
１３Ｃ    つめ部
１４Ａ    回動部
１４Ｂ    当接部
１４Ｃ    第１のカム面
１４Ｄ    第２のカム面
１５    配線部材
１５Ａ    たるみ部
１６    配線導入部
【図１】
2014197833.tif 000003
【図２】
2014197833.tif 000004
【図３】
2014197833.tif 000005
【図４】
2014197833.tif 000006
【図５】
2014197833.tif 000007
【図６】
2014197833.tif 000008
【図７】
2014197833.tif 000009
【図８】
2014197833.tif 000010
【図９】
2014197833.tif 000011
【図１０】
2014197833.tif 000012
【図１１】
2014197833.tif 000013
【図１２】
2014197833.tif 000014
【図１３】
2014197833.tif 000015
【図１４】
2014197833.tif 000016
【図１５】
2014197833.tif 000017